(57)【特許請求の範囲】
【請求項１】
熱源により板材を加熱して調理を行なう加熱調理器具において、
前記板材の表面に溝部を形成するとともに、
この溝部に装着され、前記溝部に溜まった液体の飛び散りを防止するガード部材を設け、
前記溝部の上面と、この溝部に対応して装着される前記ガード部材の装着部の下面との間に、液体を溜めるための第１の隙間を形成し、
さらに前記装着部の幅寸法を、前記溝部の幅寸法の半分以上にし、前記板材上に載せられた被調理物からの油分を毛細管現象によって前記溝部に導く第２の隙間を、前記装着部の側面と前記溝部の側面との間に形成したことを特徴とする加熱調理器具。
【請求項２】
前記ガード部材の上部と前記板材の表面上部の高さが異なることを特徴とする請求項１記載の加熱調理器具。
【発明の詳細な説明】
【０００１】
【発明の属する技術分野】
本発明は、プレート上にある被調理物を加熱して調理を行なう加熱調理器具に関する。
【０００２】
【発明が解決しようとする課題】
この種の加熱調理器具としてのホットプレートは、シーズヒータなどの熱源によりプレート上にある被調理物を加熱して調理を行なうようにしているが、こうした調理では油の飛び散りが多く、調理が終了した後の本体周辺には、飛び散った油が付着してベトベトな状態になり、これを拭き取るための清掃も大変であった。また、調理中にはしをのばしたりしたときに、この飛び散った油が手に付着し、火傷までは至らないが熱く感じたり、手がベトベトになる問題を有していた。
【０００３】
図９は、従来の例えば焼肉などを専用に調理するホットプレートを示している。同図において、101は肉などの被調理物Ｓを加熱調理するためのプレート（溝付プレート）で、このプレート101の上面には凹状をなす複数の溝部102が形成される。そして、被調理物Ｓをプレート101の上面に載せて、ここでは図示しない熱源によりプレート101ひいては被調理物Ｓを加熱すると、被調理物Ｓの余分な油分Ｏが溝部102の谷間に滴下して、そこに溜まる。これにより、余分な油分Ｏの少ないいわゆるヘルシーな状態で、被調理物Ｓを焼くことが可能になる。
【０００４】
しかし、実際には図１０に示すように、被調理物Ｓ（特に薄い肉など）は溝部102に対向する部位（符号Ｓ’参照）が撓むため、溝部102に溜まった油分Ｏが再度被調理物Ｓに付着して、被調理物Ｓが脂ぎってしまうことがある。
【０００５】
また別な問題としては、図１１に示すように、特に被調理物Ｓを最初に裏返すときのように、溝部102に溜まった高温の油分Ｏに水分を含んだ肉汁Ｍがたれ込み、油分Ｏが一気に飛び散りやすい状況に陥る。この場合、溝部102を深くすればよいと思われるが、そうすると清掃時において溝部102に溜まった油分Ｏを拭き取るのが難しくなり、清掃性が悪化する。
【０００６】
こうした問題点を解決するために考えられたのが、図１２に示すホットプレートである。同図において、ここでのプレート111は、前述の溝部102に代わって、被調理物Ｓから出た油分Ｏや水分を含んだ肉汁Ｍを水受皿112に滴下させるための穴113が複数形成されている。また、114は熱源としてのヒータで、これはプレート111の下面に接するように設けられる。水Ｗを収容する水受皿112は、穴113に対向して有底状をなす遮熱板115の底面部に設けられており、この遮熱板115の上面開口部側に前記プレート111が配設される。なお、116はホットプレートの外殻をなす枠状の本体である。
【０００７】
この場合、ヒータ114を通電してプレート111ひいては被調理物Ｓを加熱すると、被調理物Ｓからの水分を含んだ肉汁Ｍが、穴113を通して水受皿112内の水Ｗに落下するが、水受皿112はプレート111の下方にあって、しかも離れた位置にあるので、被調理物Ｓに油分Ｏが再度付着したり、被調理物Ｓを裏返したときに飛び散る油分Ｏの量も少ない。
【０００８】
しかし、図１２に示す穴開きタイプのプレート111では、プレート111が洗いづらく、また水受皿112に水Ｗを入れて使用しなければならず、調理を行なう毎に手間が掛かっていた。
【０００９】
本発明は上記問題点を解決しようとするものであり、油などの液体の飛び散りや、被調理物への液体の再付着を防止しつつも、手間が掛からず優れた清掃性を維持でき、さらには液体の周辺への飛び散りを効果的に抑制できると共に、被調理物の余分な油分を取って、ヘルシーな調理を行なうことができる加熱調理器具を提供することをその目的とする。
【００１０】
【課題を解決するための手段】
本発明の請求項１の加熱調理器具は、前記目的を達成するために、熱源により板材を加熱して調理を行なう加熱調理器具において、前記板材の表面に溝部を形成するとともに、この溝部に装着され、前記溝部に溜まった液体の飛び散りを防止するガード部材を設け、前記溝部の上面と、この溝部に対応して装着される前記ガード部材の装着部の下面との間に、液体を溜めるための第１の隙間を形成し、さらに前記装着部の幅寸法を、前記溝部の幅寸法の半分以上にし、前記板材上に載せられた被調理物からの油分を毛細管現象によって前記溝部に導く第２の隙間を、前記装着部の側面と前記溝部の側面との間に形成したものである。
【００１１】
この場合、板材を加熱して板材の表面上にある被調理物を調理すると、被調理物から出た油分が溝部へ流れ落ち、溝部とガード部材の装着部との間にある第１の隙間に溜まる。その後、被調理物からの肉汁などが溝部に溜まった油分に合わさると、これらの油分や肉汁などの液体が飛び散るが、この飛び散った油分や肉汁などの液体は溝部に装着されたガード部材の装着部に当たるため、そこから外部には飛散しない。また、装着部の幅寸法を溝部の幅寸法の半分以上にすることで、溝部から飛び散った油分や肉汁などの液体の大部分がガード部材に当たり、そこから周辺への飛び散りを効果的に抑制できる。さらに、被調理物からの油分を毛細管現象によって溝部に導くような第２の隙間を、装着部の側面と溝部の側面との間に形成すれば、被調理物からの油分を第２の隙間からきっちり吸収して、第１の隙間に溜めることができる。そのため、被調理物の余分な油分を取って、食味を向上させたいわゆるヘルシーな調理を行なうことができる。
【００１２】
本発明の請求項２の加熱調理器具は、前記ガード部材の上部と前記板材の表面上部の高さが異なっている。
【００１３】
この場合、被調理物をはしなどで摘んで板材の表面上を滑らせながら取出すときに、この板材表面上に装着されたガード部材が邪魔にならず、違和感なく被調理物を取り出すことができる。
【００１４】
【発明の実施形態】
以下、本発明における加熱調理器具の一実施例について、添付図面を参照しながら説明する。なお、本実施例における加熱調理器具はホットプレートである。図１は、後述するオイルガード11を装着しない状態を示しており、ホットプレートの外郭を含む枠状の本体１の内部には、熱源としてのヒータ２が設けられている。そして、ヒータ２に接するようにして、本体１の上部開口部にプレート３が取外し自在に装着され、ヒータ２からの熱によりプレート３が加熱されることで、プレート３上に載せられた被調理物Ｓの調理が行えるようになっている。なお、４は本体１とヒータ２との間に介在する遮熱板で、これはヒータ２から本体１への熱影響を緩和するものである。
【００１５】
プレート３は、中央部に位置して皿状に形成された被調理物Ｓの載置部５と、この載置部５の外周に形成されたフランジ部６とにより構成される。ヒータ２に対向する載置部５の裏面（下面）は凹凸のない略平坦状に形成されるが、被調理物Ｓを載置する載置部５の表面（上面）は周辺部を除く大部分が凹凸状で、その断面は図１にも示すように、上方へ突出した山部７と、下方に落ち込んだ谷部としての溝部８が、交互にかつ等間隔に形成される。すなわち、ここでのプレート３は従来の図９〜図１１と同じ溝付プレートである。
【００１６】
図２および図３は、前記プレート３の溝部８に入り込むように着脱自在に装着されるガード部材としてのオイルガード11を示している。ここでのオイルガード11はアルミダイキャスト製で、その表面には清掃性などを高めるために弗素コーティングが施されており、前記溝部８に対応して等間隔に設けられた棒状の装着部12と、各々の装着部12の両端を繋ぎ、その端部にオイルガード11の着脱を容易にする折返し部13を形成した連結部14とにより構成される。装着部12は連結部14よりも断面形状が細く形成されており、装着部12を溝部８に合わせるようにして、プレート３の表面にオイルガード11を載せたときに、図６に示すように溝部８の上面と装着部12の下面は接することなく、常に数ミリメートルの隙間16を生じ、そこに油分Ｏが溜まるようになっている。また、このときには装着部12の上面も、プレート３の表面上部をなす山部７の上面よりも低くなっている。さらに、オイルガード11の装着部12における大きさすなわち幅寸法Ｄ１は、溝部８の大きさすなわち幅寸法Ｄ２の半分以上に形成される。この場合、被調理物Ｓから溝部８への油分Ｏの流れ落ちを妨げず、しかも被調理物Ｓからの油分Ｏを毛細管現象によって溝部８に導くような隙間17を、装着部12の側面と溝部８の側面との間に各々形成するのが好ましい。
【００１７】
図４および図５は、オイルガード21の別な例を示している。ここでのオイルガード21は、鋼棒若しくはステンレス棒からなる装着部12の両端を、同じく鋼棒若しくはステンレス棒からなる連結部14に、網状となるようにスポット溶接したものである。このように、棒材をスポット溶接するだけで所望の形状のオイルガード21を得ることもできる。各々の装着部12は連結部14に載った状態となるので、装着部12を溝部８に合わせるようにして、プレート３の表面にオイルガード21を載せたときに、やはり溝部８の上面と装着部12の下面は接することなく、常に数ミリメートルの隙間16を生じ、そこに油分Ｏが溜まるようになっている。その他、装着部12の上面と山部７の上面との位置関係や、装着部12および溝部８の各幅寸法Ｄ１，Ｄ２などは、上述したオイルガード11と共通している。
【００１８】
次に、図６〜図８を併せて参照しながら、上記構成についてその作用を説明する。調理を行なうに際しては、予め連結部14の端部にあるオイルガード11の折返し部13を指で摘みつつ、プレート３の装着部12にオイルガード11の溝部８が合うように、オイルガード11をプレート３の表面に載置する。次いで焼肉などの被調理物Ｓをプレート３上に載せ、ヒータ２を通電してプレート３ひいては被調理物Ｓを加熱調理する。
【００１９】
図７に示すように、被調理物Ｓを焼くと、この被調理物Ｓから出た油分Ｏはプレート３表面に形成した山部７から谷部である溝部８へ流れ落ち、溝部８とオイルガード11の装着部12との間にある隙間16に溜まる。その油分Ｏに肉汁Ｍなどの液体が合わさると、これらの油分Ｏや肉汁Ｍなどが飛び散るのであるが、オイルガード11が装着されていれば、飛び散った油分Ｏや肉汁Ｍなどがオイルガード11の装着部12に当たって、そこから外部に飛散することはなくなり、油分Ｏや肉汁Ｍなどが被調理物Ｓに再度付着することも防止できる上に、本体１や床面などへの汚れを軽減でき、清掃性が向上する。また、被調理物Ｓを取るためにプレート３表面にはしをのばすときにも、油分Ｏや肉汁Ｍなど飛び散りによる手の汚れを防止できる。
【００２０】
なお、溝部８の幅寸法Ｄ２に対して、オイルガード11の装着部12における幅寸法Ｄ１が極端に狭いと、油分Ｏや肉汁Ｍなどが隙間17から外部に飛び散って、オイルガード11が十分な効果を発揮しなくなるので、装着部12の幅寸法Ｄ１は溝部８の幅寸法Ｄ２の半分以上に形成するのが望ましい。こうすれば、オイルガード11により油分Ｏや肉汁Ｍなどの飛び散りを効果的に抑制できる。
【００２１】
また、被調理物Ｓからの油分Ｏを毛細管現象によって溝部８に導くような第２の隙間である隙間17を、装着部12の側面と溝部８の側面との間に形成すれば、被調理物Ｓからの油分Ｏを隙間17からきっちり吸収して、隙間16に溜めることができるので、被調理物Ｓの余分な油分Ｏを取って、食味を向上させたいわゆるヘルシーな調理を行なうことができる。
【００２２】
さらに、薄い肉などの被調理物Ｓにおいては、プレート３の載置部５表面に被調理物Ｓを載せると、被調理物Ｓが溝部８に撓んで落ち込むが、オイルガード11の上面に被調理物Ｓが当接するとそれ以上は撓まなくなるので、溝部８に溜まった油分Ｏに被調理物Ｓが再度合わさることはなく、被調理物Ｓが脂ぎることを防止できる。
【００２３】
こうして、従来のように水受皿112を用意しなくても、プレート３の表面にオイルガード11を装着するだけで、プレート３からの油の飛び散りや、被調理物Ｓへの油分Ｏや肉汁Ｍの再付着を防止できる。
【００２４】
一方、調理が終了した後は、連結部14の端部にあるオイルガード11の折返し部13を指で摘んで、プレート３の表面からオイルガード11を取り外す。オイルガード11は弗素コーティング加工が表面に施されているので、簡単にゴミや焦げなどが拭き取れ、清潔である。すなわち、オイルガード11の表面に弗素コーティング層を形成することで、オイルガード11の清掃性を高めることができる。
【００２５】
以上のように上記実施例では、本体１内に設けられた熱源であるヒータ２により板材であるプレート３を加熱して調理を行なう加熱調理器具において、プレート３の表面に所定間隔の溝部８を形成するとともに、この溝部８に着脱自在に装着され、溝部８に溜まった油の飛び散りを防止するガード部材としてのオイルガード11（またはオイルガード21）を設けている。
【００２６】
この場合、プレート３を加熱してプレート３の表面上にある被調理物Ｓを調理すると、被調理物Ｓから出た油分Ｏは溝部８へ流れ落ち、溝部８とオイルガード11の装着部12との間にある第１の隙間としての隙間16に溜まる。その後、被調理物Ｓからの肉汁Ｍなど溝部８に溜まった油分Ｏに合わさると、これらの油分Ｏや肉汁Ｍなどが飛び散るが、この飛び散った油分Ｏや肉汁Ｍは溝部８に装着されたオイルガード11の装着部12に当たるため、そこから外部には飛散しない。したがって、溝部８を深く形成したり、水受皿112などを設けなくても、プレート３からの油の飛び散りや、被調理物Ｓへの油分の再付着を防止でき、手間が掛からず優れた清掃性を維持できる。
【００２７】
また本実施例では、オイルガード11をプレート３に装着した時におけるオイルガード11の装着部12の上面が、プレート２の表面上部（山部７の上面）よりも低くなっているので、被調理物Ｓをはしで摘んでプレート３表面上を滑らせながら取出すときに、このプレート３表面上に装着されたオイルガード11が邪魔にならず、違和感なく被調理物Ｓを取り出すことができる。
【００２８】
さらに本実施例では、オイルガード11の装着部12における幅寸法Ｄ１を、前記溝部８の幅寸法Ｄ２の半分以上にすることで、溝部８から飛び散った油分Ｏや肉汁Ｍなどの大部分がオイルガード11の装着部12に当たり、そこから周辺への飛び散りを効果的に抑制することができる。
【００２９】
なお、本発明は上記実施例に限定されるものではなく、本発明の要旨の範囲内において種々の変形実施が可能である。実施例では溝部８を等間隔に並べて形成したが、その間隔は不均一でもよく、またデザイン性などを考慮して様々な模様状に形成してもよい。また本発明は、油分などの飛び散りが懸念されるホットプレート以外のあらゆる加熱調理器具に適用できる。
【００３０】
【発明の効果】
本発明の請求項１の加熱調理器具によれば、油などの液体の飛び散りや、被調理物への液体の再付着を防止しつつも、手間が掛からず優れた清掃性を維持でき、さらには液体の周辺への飛び散りを効果的に抑制できると共に、被調理物の余分な油分を取って、ヘルシーな調理を行なうことができる。
【００３１】
本発明の請求項２の加熱調理器具によれば、板材表面上に装着されたガード部材が邪魔にならないため、違和感なく被調理物を取り出すことができる。
【図面の簡単な説明】
【図１】  本発明の一実施例を示すオイルガードを装着しない状態での加熱調理器具の断面図である。
【図２】  本発明の一実施例を示すオイルガードの斜視図である。
【図３】  本発明の一実施例を示す図２のＡ−Ａ線断面図である。
【図４】  別の例を示すオイルガードの斜視図である。
【図５】  別の例を示す図４のＢ−Ｂ線断面図である。
【図６】  本発明の一実施例を示すプレート表面にオイルガードを載せた状態の部分断面図である。
【図７】  本発明の一実施例を示す調理時における要部の部分断面図である。
【図８】  本発明の一実施例を示す特に被調理物として薄い肉を調理した場合の要部の部分断面図である。
【図９】  従来例を示す調理時における要部の部分断面図である。
【図１０】  従来例を示す特に被調理物として薄い肉を調理した場合の要部の部分断面図である。
【図１１】  従来例を示す油分や肉汁の飛び散り状態をあらわした要部の部分断面図である。
【図１２】  別の従来例を示す加熱調理器具の全体断面図である。
【符号の説明】
１  本体
２  ヒータ（熱源）
３  プレート（板材）
８  溝部
11  オイルガード（ガード部材）
12  装着部
16  隙間（第１の隙間）
17  隙間（第２の隙間）
21  オイルガード（ガード部材）
【図１】
0003799601.tif 000002
【図２】
0003799601.tif 000003
【図３】
0003799601.tif 000004
【図４】
0003799601.tif 000005
【図５】
0003799601.tif 000006
【図６】
0003799601.tif 000007
【図７】
0003799601.tif 000008
【図８】
0003799601.tif 000009
【図９】
0003799601.tif 000010
【図１０】
0003799601.tif 000011
【図１１】
0003799601.tif 000012
【図１２】
0003799601.tif 000013